(57)【要約】【課題】インパクトドライバーの本体部に対して簡単に取付けて使用できるインパクトドライバー用水準器を提案すること。【解決手段】インパクトドライバーＴの本体部２の外周面に当接する基準当接部５を有するベース部材６と、ベース部材６に設けられ水平度若しくは垂直度を測定可能な測定用気泡管７と、ベース部材６に設けられ，弾性変形によりインパクトドライバーＴの本体部２の外周面に着脱自在に抱着して基準当接部５を本体部２の外周面に当接状態に保持するＣ字状の抱着部８とから成り、抱着部８をインパクトドライバーＴの本体部２に抱着して基準当接部５を本体部２外周面に当接保持した際に、本体部２の上方に測定用気泡管７が配設するように構成されている。【選択図】図２
0003224757.tif 000002
【実用新案登録請求の範囲】
【請求項１】
動力源が内蔵され前端部にビット取付部が設けられている本体部と、この本体部から下方へ突設され前記動力源の回転制御スイッチが設けられているグリップ部とを備えたインパクトドライバーに用いられるインパクトドライバー用水準器であって、前記インパクトドライバーの本体部の外周面に当接する基準当接部を有するベース部材と、このベース部材に設けられ水平度若しくは垂直度を測定可能な測定用気泡管と、前記ベース部材に設けられ，弾性変形により前記インパクトドライバーの本体部の外周面に着脱自在に抱着して前記基準当接部を本体部の外周面に当接状態に保持するＣ字状の抱着部とから成り、この抱着部を前記インパクトドライバーの本体部に抱着して前記基準当接部を本体部外周面に当接保持した際に、本体部の上方に前記測定用気泡管が配設するように構成されていることを特徴とするインパクトドライバー用水準器。
【請求項２】
前記測定用気泡管は、前記抱着部を前記インパクトドライバーの本体部に抱着して前記基準当接部を本体部外周面に当接保持した際に、前記ビット取付部に装着されたビットと平行に配設するようにして前記ベース部材の上部に設けられているか、若しくはビット取付部の反対側に配設するようにして前記ベース部材の後部に設けられていることを特徴とする請求項１記載のインパクトドライバー用水準器。
【請求項３】
前後方向に長さを有する円柱状の前記本体部を備えたインパクトドライバーに用いるインパクトドライバー用水準器であって、前記ベース部材の下部に断面Ｖ形の凹溝が設けられて、このベース部材の下部がＶ形凹溝付きの前記基準当接部として構成され、この基準当接部を前記インパクトドライバーの本体部の凸湾曲状の外周面に当接させた際に、前記Ｖ形凹溝に本体部の外周面の一部が嵌入してこのＶ形凹溝の左右の溝縁部が本体部の外周面に当接するように構成されていることを特徴とする請求項１，２のいずれか１項に記載のインパクトドライバー用水準器。
【請求項４】
前記抱着部を前記インパクトドライバーの本体部に抱着して前記基準当接部を本体部外周面に当接保持した際に、前記ビット取付部に装着されたビットと平行に配設するようにして前記ベース部材の上部に水平度測定用気泡管が設けられていると共に、この水平度測定用気泡管より後方側のベース部材の後部に垂直度測定用気泡管が設けられていることを特徴とする請求項１〜３のいずれか１項に記載のインパクトドライバー用水準器。
【請求項５】
前記抱着部は、下部が開口するＣ字状に形成され、この抱着部の上部が前記ベース部材の下部に付設されていると共に、このベース部材の上部に前記測定用気泡管が設けられていて、この抱着部を前記インパクトドライバーの本体部に上方から抱着して前記基準当接部を本体部外周面の上面に当接保持した際に、インパクトドライバーの本体部の上方に前記測定用気泡管が配設するように構成されていることを特徴とする請求項１〜４のいずれか１項に記載のインパクトドライバー用水準器。
【考案の詳細な説明】
【技術分野】
【０００１】
本考案は、インパクトドライバーの本体部に取付けることで、例えば穴開け加工を行う際に水平若しくは垂直方向への穴開け補助機能が付与されるインパクトドライバー用水準器に関するものである。
【背景技術】
【０００２】
インパクトドライバーに、先端がドリル形状のビットを取付けて壁や床等に穴開け加工を施すことが従来から行われているが、水平又は垂直に穴開けを行うことは熟練の作業者であったとしても容易ではない。
【０００３】
そこで、従来、水平又は垂直の穴開けが容易に可能となるように、水準器を備えたドリル装置が提案されている（例えば、下記特許文献１参照。）。
【先行技術文献】
【特許文献】
【０００４】
【特許文献１】特開２００５−１５３１３３号公報
【考案の概要】
【考案が解決しようとする課題】
【０００５】
特許文献１のようなドリル装置は、装置自体に水準器が設けられているので、たとえ穴開け用途にも使用可能な汎用のインパクトドライバーを既に所有していても、正確な穴開けを行うためにはこのドリル装置を新たに購入しなければならず、非常に不経済である。
【０００６】
本考案は、このような不都合を解決するためのもので、インパクトドライバーの本体部に対して簡単に取付けでき、例えば穴開け時にインパクトドライバーに取付けることで穴開け補助機能が付与されて正確な水平穴若しくは垂直穴を形成することが可能になるインパクトドライバー用水準器を提案するものである。
【課題を解決するための手段】
【０００７】
添付図面を参照して本考案の要旨を説明する。
【０００８】
動力源が内蔵され前端部にビット取付部１が設けられている本体部２と、この本体部２から下方へ突設され前記動力源の回転制御スイッチ３が設けられているグリップ部４とを備えたインパクトドライバーＴに用いられるインパクトドライバー用水準器Ａであって、前記インパクトドライバーＴの本体部２の外周面に当接する基準当接部５を有するベース部材６と、このベース部材６に設けられ水平度若しくは垂直度を測定可能な測定用気泡管７と、前記ベース部材６に設けられ，弾性変形により前記インパクトドライバーＴの本体部２の外周面に着脱自在に抱着して前記基準当接部５を本体部２の外周面に当接状態に保持するＣ字状の抱着部８とから成り、この抱着部８を前記インパクトドライバーＴの本体部２に抱着して前記基準当接部５を本体部２外周面に当接保持した際に、本体部２の上方に前記測定用気泡管７が配設するように構成されていることを特徴とするインパクトドライバー用水準器に係るものである。
【０００９】
また、前記測定用気泡管７は、前記抱着部８を前記インパクトドライバーＴの本体部２に抱着して前記基準当接部５を本体部２外周面に当接保持した際に、前記ビット取付部１に装着されたビット９と平行に配設するようにして前記ベース部材６の上部に設けられているか、若しくはビット取付部１の反対側に配設するようにして前記ベース部材６の後部に設けられていることを特徴とする請求項１記載のインパクトドライバー用水準器に係るものである。
【００１０】
また、前後方向に長さを有する円柱状の前記本体部２を備えたインパクトドライバーＴに用いるインパクトドライバー用水準器Ａであって、前記ベース部材６の下部に断面Ｖ形の凹溝10が設けられて、このベース部材６の下部がＶ形凹溝10付きの前記基準当接部５として構成され、この基準当接部５を前記インパクトドライバーＴの本体部２の凸湾曲状の外周面に当接させた際に、前記Ｖ形凹溝10に本体部２の外周面の一部が嵌入してこのＶ形凹溝10の左右の溝縁部11が本体部２の外周面に当接するように構成されていることを特徴とする請求項１，２のいずれか１項に記載のインパクトドライバー用水準器に係るものである。
【００１１】
また、前記抱着部８を前記インパクトドライバーＴの本体部２に抱着して前記基準当接部５を本体部２外周面に当接保持した際に、前記ビット取付部１に装着されたビット９と平行に配設するようにして前記ベース部材６の上部に水平度測定用気泡管７Ａが設けられていると共に、この水平度測定用気泡管７Ａより後方側のベース部材６の後部に垂直度測定用気泡管７Ｂが設けられていることを特徴とする請求項１〜３のいずれか１項に記載のインパクトドライバー用水準器に係るものである。
【００１２】
また、前記抱着部８は、下部が開口するＣ字状に形成され、この抱着部８の上部が前記ベース部材６の下部に付設されていると共に、このベース部材６の上部に前記測定用気泡管７が設けられていて、この抱着部８を前記インパクトドライバーＴの本体部２に上方から抱着して前記基準当接部５を本体部２外周面の上面に当接保持した際に、インパクトドライバーＴの本体部２の上方に前記測定用気泡管７が配設するように構成されていることを特徴とする請求項１〜４のいずれか１項に記載のインパクトドライバー用水準器に係るものである。
【考案の効果】
【００１３】
本考案は上述のように構成したから、抱着部を介して既存のインパクトドライバーの本体部に容易に取付けできると共に、別のインパクトドライバーに付け替えて使用することもでき、例えば、ビット取付部にドリル形状のビットを取付けて穴開け用途に使用すれば、測定用気泡管で水平度若しくは垂直度を測定できて穴開け対象物へ正確な水平穴若しくは垂直穴を形成することができる極めて実用性に優れたインパクトドライバー用水準器となる。
【００１４】
また、請求項２記載の考案においては、インパクトドライバーの本体部に取付けた際に、ビット取付部に装着されたビットと平行に配設する測定用気泡管、若しくはビット取付部の反対側に配設する測定用気泡管を作業者が確認し易い一層実用性に優れた構成のインパクトドライバー用水準器となる。
【００１５】
また、請求項３記載の考案においては、インパクトドライバーの円柱状の本体部に対しＶ形凹溝付の基準当接部により非常に安定的に取付けられる一層実用性に優れた構成のインパクトドライバー用水準器となる。
【００１６】
また、請求項４記載の考案においては、水平度測定用気泡管と垂直度測定用気泡管とで水平度も垂直度も測定できると共に、この水平度測定用気泡管と垂直度測定用気泡管とを作業者が確認し易い一層実用性に優れた構成のインパクトドライバー用水準器となる。
【００１７】
また、請求項５記載の考案においては、インパクトドライバーの本体部に取付けた際に、インパクトドライバーの本体部の上方に測定用気泡管が配設する構成を、簡易構成にして容易に設計実現可能となる一層実用性に優れた構成のインパクトドライバー用水準器となる。
【図面の簡単な説明】
【００１８】
【図１】本実施例を示す斜視図である。
【図２】本実施例の使用状態（水平に穴開けする場合）を示す斜視図である。
【図３】本実施例の使用状態（垂直に穴開けする場合）を示す斜視図である。
【考案を実施するための形態】
【００１９】
好適と考える本考案の実施形態を、図面に基づいて本考案の作用を示して簡単に説明する。
【００２０】
公知のインパクトドライバーＴは、動力源が内蔵され前端部にビット取付部１が設けられている本体部２と、この本体部２から下方へ突設され前記動力源の回転制御スイッチ３が設けられているグリップ部４とを備えているが、本考案は、このインパクトドライバーＴの本体部２に取付けて使用する。
【００２１】
具体的には、ベース部材６に設けられているＣ字状の抱着部８を前記インパクトドライバーＴの本体部２に抱着すると、ベース部材６の基準当接部５がインパクトドライバーＴの本体部２の外周面に当接状態に保持されて本考案のインパクトドライバー用水準器ＡがインパクトドライバーＴに取付けられると共に、本体部２の上方に前記測定用気泡管７が配設されることになる。
【００２２】
この際、弾性変形によりインパクトドライバーＴの本体部２に抱着する抱着部８は、単に本体部２に対して押し込むだけの簡易な操作で本体部２に取付けでき、別のインパクトドライバーＴに付け替えて使用することも容易に可能である。また、抱着部８は、弾性変形可能な範囲内において様々な径の本体部２に対応して抱着できるために、異なるメーカーのインパクトドライバーＴに対しても取付けが可能である。
【００２３】
例えば、インパクトドライバーＴの本体部２の前端部に設けられているビット取付部４に先端がドリル形状のビット９を装着し、穴開け対象物12へビット９先端を当てがって穴開け加工を行うが、この際、本体部２の上方に配設されている測定用気泡管７を作業者が視認し易く、この視認し易い測定用気泡管７で水平度若しくは垂直度の測定が容易に行われるので、穴開け対象物12へ正確な水平穴若しくは垂直穴を形成できる。
【実施例】
【００２４】
本考案の具体的な実施例について図面に基づいて説明する。
【００２５】
先ず、本実施例を取付ける公知のインパクトドライバーＴについて説明すると、動力源（モーター）が内蔵され前後方向に長さを有する円柱状体であって，前端部にビット取付部１が設けられている本体部２と、この本体部２から下方へ突設され前記動力源の回転制御スイッチ３が設けられているグリップ部４とから成り、略ピストル型を呈している（図２，図３参照）。
【００２６】
本実施例は、このような公知のインパクトドライバーＴの本体部２に取付けて使用されるインパクトドライバー用水準器Ａであって、前記インパクトドライバーＴの本体部２の外周面に当接する基準当接部５を有するベース部材６と、このベース部材６に設けられ水平度若しくは垂直度を測定可能な測定用気泡管７と、前記ベース部材６に設けられ，弾性変形により前記インパクトドライバーＴの本体部２の外周面に着脱自在に抱着圧接して前記基準当接部５を本体部２の外周面に当接状態に保持するＣ字状の抱着部８とから構成されている。
【００２７】
本実施例のベース部材６は、例えば合成樹脂製であって、図１に示すような側面視コ字状体に一体成形されている。そして、このベース部材６は、両端部が上方へ突出するように（両端部が上部となるように）配されて、この両端部間に前記測定用気泡管部７としての水平度測定用気泡管７Ａ（円柱型気泡管７Ａ）が横架状態に配設固定されている。本実施例では、この水平度測定用気泡管７Ａの長さ方向を前後方向と定めて以下を説明する。
【００２８】
更にこのベース部材６の後側（インパクトドライバーＴのビット取付部１に対して反対側に向ける側）の端部の外側面に前記測定用気泡管部７としての垂直度測定用気泡管７Ｂ（丸型気泡管７Ｂ）が表出状態に付設されていて、図２，図３に示すように、この円柱型気泡管７Ａと丸型気泡管７Ｂとを外部から作業者が視認し得るように構成されている。
【００２９】
このベース部材６は、下部が前記基準当接部５として構成されている。
【００３０】
具体的には、ベース部材６の下部に、このベース部材６の前後方向に沿った溝長を有する断面Ｖ形の凹溝10が設けられて、このベース部材６の下部がＶ形凹溝10付きの前記基準当接部５として構成されており、この基準当接部５を前記インパクトドライバーＴの本体部２の凸湾曲状の外周面に当接させた際に、前記Ｖ形凹溝10に本体部２の外周面の一部が嵌入してこのＶ形凹溝10の左右の溝縁部11が本体部２の外周面に当接し、この左右二箇所の線接触により本体部２に対しベース部材６が安定的な当接状態となるように構成されている。
【００３１】
本実施例の抱着部８は、例えば弾性を有する合成樹脂製の帯板がＣ字状に一体成形されて成ると共に、両端部がハ字状に対向するよう外側に向けて折曲されていて、この折曲先端部が、インパクトドライバーＴの本体部２をスムーズに抱着部８内に導入するための誘い込み部13として構成されている。
【００３２】
また、この抱着部８は、下部が開口するＣ字状に形成され、この抱着部８の上部が前記ベース部材６下部（基準当接部５）の、前後方向の中ほどに設けられている凹所14に嵌合されて付設されている。
【００３３】
即ち、この抱着部８を前記インパクトドライバーＴの本体部２に上方から押し込むことにより抱着して前記基準当接部５を本体部２外周面の上面に当接保持すると、インパクトドライバーＴの本体部２の上方に前記測定用気泡管７が配設するように構成されており、この際、水平度測定用気泡管７Ａが前記ビット取付部１に装着されたビット９と平行に配設すると共に、垂直度測定用気泡管７Ｂがビット取付部１の反対側に配設するように構成されている。
【００３４】
このように構成した本実施例のインパクトドライバー用水準器ＡをインパクトドライバーＴの本体部２に抱着部８を介して取付け（抱着し）、例えば穴開け目的で先端がドリル形状のビット９をビット取付部１に装着すると、ビット９の軸方向と平行に配設されている水平度測定用気泡管７Ａ（の気泡15）をインパクトドライバー用水準器Ａの上方や側方から視認することによりビット９の水平度を測定できて壁などの穴開け対象物12に水平穴を形成でき（図２参照）、また、垂直穴を形成すべくインパクトドライバーＴを操作（ビット９が垂直となるように操作）した際には、前記垂直度測定用気泡管７Ｂ（の気泡16）を上方から視認することによりビット９の垂直度を測定できて床などの穴開け対象物12に垂直穴を形成できるように構成されている。
【００３５】
尚、本考案は、本実施例に限られるものではなく、各構成要件の具体的構成は適宜設計し得るものである。
【符号の説明】
【００３６】
１  ビット取付部
２  本体部
３  回転制御スイッチ
４  グリップ部
５  基準当接部
６  ベース部材
７  測定用気泡管
７Ａ  水平度測定用気泡管
７Ｂ  垂直度測定用気泡管
８  抱着部
９  ビット
10  Ｖ形凹溝
11  溝縁部
Ａ  インパクトドライバー用水準器
Ｔ  インパクトドライバー
【図１】
0003224757.tif 000003
【図２】
0003224757.tif 000004
【図３】
0003224757.tif 000005